(57)【要約】  【課題】本発明は、ヒートポンプ給湯機から排水される排水を利用するための貯留システムを提供することを目的とする。  【解決手段】本発明は、圧縮機、水冷媒熱交換器、膨張弁、蒸発器を冷媒配管で接続したヒートポンプユニットと、貯湯タンク、圧力逃がし弁、排水弁を有する貯湯タンクユニットとを備えたヒートポンプ給湯機と、このヒートポンプ給湯機から排出される排水を貯留する排水貯留タンクと、この排水貯留タンクと前記ヒートポンプ給湯機とを繋ぐ排水配管と、前記排水貯留タンクから貯留水を汲み上げる揚水ポンプと、前記排水貯留タンクからのオーバーフロー水を排水するオーバーフロー管とからなるヒートポンプ給湯機の排水貯留システムである。  【選択図】図２
2007192506.tif 000002
【特許請求の範囲】
【請求項１】
ヒートポンプユニット、および、貯湯タンクユニットとを有したヒートポンプ給湯機と、
このヒートポンプ給湯機から排出される排水を貯留する排水貯留タンクと、
この排水貯留タンクと前記ヒートポンプ給湯機とを繋ぐ排水配管と、
前記排水貯留タンクから貯留水を汲み上げる揚水ポンプと、
前記排水貯留タンクからのオーバーフロー水を排水するオーバーフロー管とを備えた
ヒートポンプ給湯機の排水貯留システム。
【請求項２】
請求項１において、ヒートポンプユニットで使用する冷媒が、ＣＯ２であるヒートポンプ給湯機の排水貯留システム。
【請求項３】
請求項１または２において、揚水ポンプが、手押しの井戸ポンプであるヒートポンプ給湯機の排水貯留システム。
【発明の詳細な説明】
【技術分野】
【０００１】
本発明は、ヒートポンプ給湯機から排水される排水の貯留システムに関するものである。
【背景技術】
【０００２】
ヒートポンプ給湯機は主に運転中に、ヒートポンプユニットから凝縮水や除霜ドレン水、また貯湯タンクユニットから膨張水が排水される。
これらの排水を、１系統の排水経路に統合してヒートポンプ給湯機から排水する方法が開示されている。
【特許文献１】特開２００４−２７１０１０
【特許文献２】特開２００４−３６０９３４
【発明の開示】
【発明が解決しようとする課題】
【０００３】
近年、行政庁の政策により、地球温暖化防止のためのＣＯ２排出量削減手段として、ヒートポンプ給湯機が急激に普及してきた。これは、ユーザーメリットとして光熱費の削減に効果があると共に、ＣＯ２排出量削減という環境貢献意識の高まりもひとつの要因であった。
しかし、ヒートポンプ給湯機の運転中に排水される凝縮水や膨張水は、生活排水の汚濁濃度と比較して汚濁濃度の極めて低い排水であるにもかかわらず利用されることなく捨てられていた。
【０００４】
本発明は、上記を鑑みてヒートポンプ給湯機から排出される排水を利用するための貯留システムを提供することを目的とする。
【課題を解決するための手段】
【０００５】
（１）本発明は、ヒートポンプユニット、および、貯湯タンクユニットとを有したヒートポンプ給湯機と、このヒートポンプ給湯機から排出される排水を貯留する排水貯留タンクと、この排水貯留タンクと前記ヒートポンプ給湯機とを繋ぐ排水配管と、前記排水貯留タンクから貯留水を汲み上げる揚水ポンプと、前記排水貯留タンクからのオーバーフロー水を排水するオーバーフロー管とを備えたヒートポンプ給湯機の排水貯留システムである。
（２）前記（１）において、ヒートポンプユニットで使用する冷媒が、ＣＯ２であるヒートポンプ給湯機の排水貯留システムである。
（３）前記（１）または（２）において、揚水ポンプが、手押しの井戸ポンプであるヒートポンプ給湯機の排水貯留システムである。
【発明の効果】
【０００６】
本発明によれば、ヒートポンプ給湯機から排水を庭の散水や洗車用水などに利用する事ができる安価で環境に優しい排水貯留システムを提供することができる。
【発明を実施するための最良の形態】
【０００７】
本発明にて述べるヒートポンプ給湯機は、一般に家庭にて使用されるものであれば特に制限されるものでなく、例えば、前記特許文献１に示されるような、圧縮機、水冷媒熱交換器、膨張弁、蒸発器を冷媒配管で接続したヒートポンプユニットと、貯湯タンク、圧力逃がし弁、排水弁を有する貯湯タンクユニットとを別々に、または、一体化して備え、排水を排出する排水構造を有するものが挙げられる。
ヒートポンプ給湯機がヒートポンプユニットと貯湯タンクユニットからなる場合、それぞれのユニット毎に排水をまとめて排出することが可能となり、排水構造が簡潔となり、排水配管の施工が容易になる。
また、ヒートポンプユニットと貯湯タンクユニットが一体化された場合は、これらのユニットから排出される排水を一ヶ所にまとめることも可能となり、排水構造がさらに簡潔になる。
【０００８】
ヒートポンプ給湯機から排出される排水の種類は、ヒートポンプユニットにおいては、凝縮水と除霜により生じたドレン水がある。貯湯タンクユニットにおいては、圧力逃し弁から排出される水と排水弁から排出される水がある。
凝縮水は、吸熱時に蒸発器に発生する。除霜ドレン水は、蒸発器に着いた霜を除霜した際に発生する。圧力逃し弁から排出される排水は、貯湯タンクの水が加熱により膨張し、貯湯タンクの内部圧力が上昇した際に排出される。排水弁から排出される排水は、給湯機のメンテナンス時など貯湯タンクの水を抜く際に排出される。
これらのヒートポンプ給湯機からの排水は、気中の湿度にもよるが、１日に１５リットル程度排出される時もある。このため、これらの排水の一部、または、これらの排水の全てを排水貯留タンクに貯留することで、従来は利用されることなく捨てられていた水を有効に利用することが可能となる。
さらに、上記のヒートポンプ給湯機からの排水以外の排水を貯留させてもよい。具体的には、一般的なエアコンや加湿機能付き空調システム等のドレン水は汚濁濃度が極めて低く利用に適している。このため、これらの排水を貯留することにより、さらに排水の有効利用を図ることができる。
【０００９】
ヒートポンプ給湯機の排水構造は、ヒートポンプ給湯機は主に運転中に、排出されるヒートポンプユニットからの凝縮水や除霜ドレン水、貯湯タンクユニットからの膨張水やメンテナンス時等の貯湯タンクの排水弁からの排水を排水可能であれば、特に制限するものではない。ヒートポンプユニット、貯湯タンクユニット毎に一ヶ所にまとめるか、または、これらの２つのユニットの両方を一ヶ所にまとめて排出可能とした場合は、排水配管の施工の手間を省くことができる。
また、ヒートポンプ給湯機以外に、凝縮水やドレン水等の汚濁濃度の極めて低い排水を排出する空調機器等からの排水を、上記のヒートポンプ給湯機からの排水とまとめて排水可能とした場合は、これらの排水も有効に利用することが可能となる。
【００１０】
ヒートポンプユニットで使用する冷媒は、一般に使用されるものであれば特に制限されるものではなく、フロンガスや、プロンパンガス、アンモニアガス等が使用できるが、特に冷媒がＣＯ２であることが好ましい。これにより、沸き上げ温度を高温とすることができ、また、光熱費の削減に効果があると共に、ＣＯ２排出量削減という環境貢献にも適している。このＣＯ２冷媒のヒートポンプ給湯機は“エコキュート”と呼ばれ、普及が目覚しいため、入手も容易である。
【００１１】
本発明にて述べる排水貯留タンクは、通常地下設置されるものであり、ヒートポンプ給湯機からの排水を貯留するものであれば、特に制限はないが、ヒートポンプ給湯機からの排水等が自然流下するように設置するのが望ましい。排水貯留タンクは、耐水性樹脂（ＦＲＰ、ＤＣＰＤ、ＰＶＣ、ＰＰ等）の槽体、排水配管接続口、揚水ポンプ配管接続口、オーバーフロー管接続口から構成されている。また、排水貯留タンク上部にはマンホールを設けることが好ましい。これにより、必要に応じて内部を点検、清掃できるようにすることができる。
なお、ヒートポンプ給湯機から排水以外の排水を貯湯させてもよい。具体的には、一般的なエアコンや加湿機能付き空調システム等のドレン水は汚濁濃度が極めて低く利用に適している。このため、これらの排水を貯留することにより、これらの排水も有効に利用することが可能となる。
【００１２】
本発明にて述べる排水配管は、ヒートポンプ給湯機と排水貯留タンクとを繋ぐものであり、排水流路を形成し、腐食のないものであれば適宜使用することができる。また、ヒートポンプ給湯機からの排水等が自然流下するように、ヒートポンプ給湯機から排水貯留タンクまで下り勾配で配管するのが望ましい。なお、ヒートポンプ給湯機からの排水は間接排水であり、一度大気中で縁を切らなければならない。このため、排水配管の受け口には枯葉・害虫等の侵入を防ぐための防虫ネット等を設けることが好ましい。
【００１３】
本発明にて述べる揚水ポンプは水を揚水できれば特に制限されるものでないが、例えば手押しの井戸ポンプ等は、特に動力を必要としないため、動力費の削減とＣＯ２排出量削減となりエコキュートの理念と同様であり相性が良い。また、排水貯留タンクの揚水ポンプ配管接続口と揚水ポンプは揚水ポンプ配管で繋がっている。なお、揚水ポンプは機械式ポンプも選択できる。この場合、揚水ポンプは排水貯留タンクに内蔵され、揚水ポンプ配管に接続されている。これにより、人力を必要としないため、揚水作業が容易になる。
【００１４】
本発明にて述べるオーバーフロー管は、排水貯留タンクのオーバーフロー管接続口に接続され、排水貯留タンクに流入した排水が満水になった場合、地中に浸透させる側溝、または下水道に、排水を放流するための導水管である。このようにオーバーフロー管を設置することにより、排水貯留タンクが満水になっても、排水貯留タンクへの排水の流入が妨げられることはなく、円滑な排水の流入を確保することができる。
【実施例】
【００１５】
以下、本発明の実施例を図面により説明する。
図１および図２は、本発明に係るヒートポンプ給湯機の排水貯留システムの一例である。
ヒートポンプユニット１ａにおいては、圧縮機（図示せず）で圧縮された冷媒は、水冷媒熱交換器（図示せず）で放熱し、膨張弁（図示せず）で減圧し、蒸発器（図示せず）で吸熱する。この際、吸熱時に蒸発器に発生する凝縮水、あるいは蒸発器に着霜し除霜運転により生じたドレン水はヒートポンプユニット１ａの排水管２ａから排出される。
貯湯タンクユニット１ｂにおいては、温水を貯湯タンク（図示せず）に貯える際に水が加熱されて膨張し、貯湯タンクの内部圧力が上がり過ぎることを防ぐために設けられた逃し弁（図示せず）から排水管２ｂを通じて排出される。また、給湯機のメンテナンス時など貯湯タンクの水を抜く際には、貯湯タンクから排水管２ｂへの配管の途中に設けた排水弁（図示せず）を開くことにより、排水管２ｂを通じて排出される。
本実施例の貯湯タンクユニット１ｂの貯湯タンク容量は４６０リットルである。
【００１６】
これらのヒートポンプ給湯機１から排水された水は、受け口４ａから排水配管４を通って排水貯留タンク３で貯留される。排水貯留タンク３の材質はＰＶＣとした。地下設置とするため土圧に耐えられるように略八角形の平断面形状をなし、底面は設置し易いように平面形状である。上面には内部を点検・清掃できるように内径４５０mmのマンホール３ａを設けた。
本実施例の排水貯留タンク３の容量は２００Ｌであり、特に冬場では約１０日間で満水となった。
満水になった後に排水貯留タンク３に排水された水は、オーバーフロー管７から地下浸透マス７ａを介して地下に浸透処理される。
【００１７】
排水貯留タンク３に貯留された排水は、地上に設置された井戸ポンプ５ａを操作すると、揚水ポンプ配管６から井戸ポンプ５ａに送水され、放出される。
【００１８】
図３は、本発明の他の実施例である。揚水ポンプは機械式ポンプ５ｂであり、排水貯留タンク３に内蔵されている。機械式ポンプのスイッチ５ｃがＯＮになると、排水貯留タンク３内の水を汲み上げ放出される。
【図面の簡単な説明】
【００１９】
【図１】本発明の１実施例であるヒートポンプ給湯機の排水貯留システムの概略平面図である。
【図２】本発明の１実施例であるヒートポンプ給湯機の排水貯留システムの概略断面図である。
【図３】本発明の他の実施例であるヒートポンプ給湯機の排水貯留システムの概略断面図である。
【符号の説明】
【００２０】
１…ヒートポンプ給湯機、１ａ…ヒートポンプユニット、１ｂ…貯湯タンクユニット、２ａ…排水管、２ｂ…排水管、３…排水貯留タンク、３ａ…マンホール、３ｂ…排水配管接続口、３ｃ…オーバーフロー管接続口、３ｄ…揚水ポンプ配管接続口、４…排水配管、４ａ…受け口、５ａ…井戸ポンプ、５ｂ…機械式ポンプ、５ｃ…スイッチ、６…揚水ポンプ配管、７…オーバーフロー管、７ａ…地下浸透マス、
【図１】
2007192506.tif 000003
【図２】
2007192506.tif 000004
【図３】
2007192506.tif 000005